(57)【要約】【課題】オーガーを備えた除雪部の前部に設けられた排雪板が非作業状態のときに、オーガーを使用した投雪での除雪作業が効率的にできる除雪機を提供する。【解決手段】機体１と、機体１前部に設けられ、前方に向かって開口するオーガーハウジング５０内で回転するオーガー５１、オーガーハウジング５０後方に設けられたブロワー５１５、を有した除雪部５と、除雪部５前方に位置させた排雪板５の作業状態、オーガーハウジング５０の上方部に位置させた排雪板５の非作業状態に切換えが可能で、切換えは排雪板６の左右両端部の後方側に設けられ、オーガーハウジング５０の左右側板外側部に上下旋回自在に取付けられた回動アーム６０により旋回されて切換えられる構造である除雪用排雪板６と、排雪板１には、進行方向に対し前後方向に傾斜を可能にする排雪板６の進行方向の左右両側に配置された支持アーム部６５と、を備えた除雪機１。【選択図】      図１
2019108774.tif 000002
【特許請求の範囲】
【請求項１】
機体と、
該機体前部に設けられ、前方に向かって開口するオーガーハウジング内で回転するオーガー、前記オーガーハウジング後方に設けられたブロワーを有した除雪部と、
前記除雪部前方に位置させた排雪板作業状態、前記オーガーハウジングの上方部に位置させた排雪板非作業状態に切換えが可能で、前記切換えは前記排雪板の左右両端部の後方側に設けられ、前記オーガーハウジングの左右側板外側部に上下旋回自在に取付けられた回動アームにより旋回されて切換えられる構造である除雪用の排雪板と、
を有した除雪機であって、
前記排雪板には、進行方向に対し前後方向に傾斜させる前記排雪板の進行方向左右両側に配置された支持アーム部と、
を備えたことを特徴とした除雪機。
【請求項２】
前記支持アーム部には、前記排雪板を格納した格納状態、前記排雪板の進行方向に対し前後方向への傾斜させた傾斜状態、を固定する規制体と、
をさらに備えたことを特徴とした請求項１に記載の除雪機。
【請求項３】
前記回動アームには、前記排雪板を上方側へ向かう旋回方向に付勢するように弾性体と、
をさらに備えたことを特徴とした請求項１及び２に記載の除雪機。
【発明の詳細な説明】
【技術分野】
【０００１】
本発明は、機体の前部に雪の掻き込みオーガーや掻き込んだ雪をブロワーによって投雪する除雪部を設け、除雪部のさらに前方に排雪板を配置可能にした除雪機に関するものである。
【背景技術】
【０００２】
雪の掻き込みオーガーを設けブロワーによって投雪する除雪部を設けた除雪機は公知である。また、除雪部の前方にさらに排雪板を配置できる除雪機も公知となっている。例えば、特開２００５−１３９６６６号公報の「除雪機」が公知である。この除雪機は、投雪場所等が十分に確保できる場所がある場合には、除雪部のブロワーによって投雪して除雪作業を行い、投雪場所等が十分確保できない場合や積雪量が少ない場合には、排雪板により雪を押し出す作業に切換えて除雪作業を行う。さらに、除雪場所に応じて、排雪板を進行方向に対し前後方向に旋回させることによって、雪を押し出す方向を進行方向に対し、前方向、左方向及び右方向に変更することが可能に設けられている。
【先行技術文献】
【特許文献】
【０００３】
【特許文献１】特開２００５−１３９６６６号公報
【発明の概要】
【発明が解決しようとする課題】
【０００４】
特許文献１の除雪機において、雪の押し出し方向を変えるための排雪板の旋回中心軸を機体の左右幅のほぼ中央に設けている。排雪板の旋回中心軸の構成部材によって、排雪板がより前方方向に位置することになる。排雪板をオーガーの上方に位置させた排雪板非作業状態で、オーガー及びブロワーを駆動によって投雪作業をすると排雪板に当たる問題があった。特に、シューター及びデフレクターで投雪方向を近距離である前方及び下方に向けると排雪板により多く当たり、効率的な投雪ができない問題があった。
このため本発明は、排雪板の作業状態での除雪機の進行方向に対して、排雪板を前後方向へ傾斜させて、除雪機側方への排雪を可能にすると共に、排雪板の非作業状態での排雪板の高さを低く抑えてブロワーで投雪した雪が排雪板に当たることを防ぎ、効率良い除雪作業が行える除雪機を提供することを目的とする。
【課題を解決するための手段】
【０００５】
上記目的を達成するために、本発明の態様は、機体と、機体前部に設けられ、前方に向かって開口するオーガーハウジング内で回転するオーガー、オーガーハウジング後方に設けられたブロワーを有した除雪部と、除雪部前方に位置させた排雪板作業状態、オーガーハウジングの上方部に位置させた排雪板非作業状態に切換えが可能で、切換えは排雪板の左右両端部の後方側に設けられ、オーガーハウジングの左右側板外側部に上下旋回自在に取付けられた回動アームにより旋回されて切換えられる構造である除雪用の排雪板と、を有した除雪機であって、排雪板には、進行方向に対し前後方向に傾斜させる排雪板の進行方向左右両側に配置された支持アーム部と、を備えた除雪機であることを要旨とする。
【発明の効果】
【０００６】
本発明によると、排雪板の作業状態での排雪板の進行方向に対して前後方向への傾斜を可能にすると共に、非作業状態での排雪板の高さを低く抑えてブロワーでの投雪した雪が排雪板に当たることを防ぎ、効率良い除雪作業が行える除雪機を提供することができる。
【図面の簡単な説明】
【０００７】
【図１】本発明の実施の形態に係る除雪機の排雪板の非作業状態の一例を示す側面図である。
【図２】本発明の実施の形態に係る除雪機の排雪板の非作業状態の一例を示す正面図である。
【図３】本発明の実施の形態に係る除雪機の排雪板の作業状態でブレード部を格納した状態の一例を示す要部を拡大した側面図である。
【図４】本発明の実施の形態に係る除雪機の排雪板の作業状態でブレード部を格納した状態の一例を示す要部を拡大した平面図である。
【図５】本発明の実施の形態に係る除雪機の排雪板の作業状態でブレード部の左端部を前方に位置させた傾斜状態の一例を示す要部を拡大した側面図である。
【図６】本発明の実施の形態に係る除雪機の排雪板の作業状態でブレード部の左端部を前方に位置させた傾斜状態の一例を示す要部を拡大した平面図である。
【図７】図４における支持フレーム部及び支持アーム部の取り付けをＡ−Ａで断面した断面図である。
【図８】図３における回動アーム部の進行方向左側の旋回支点部をＢ−Ｂで断面した断面図である。
【発明を実施するための形態】
【０００８】
本発明の実施の形態を、図１乃至図８に基づいて説明する。
以下に示す実施の形態は、本発明の技術的思想を具体化するための構造や配置を例示するためのものであって、本発明の技術的思想は、構成部品の形状、構造等を下記のものに特定するものではない。本発明の技術的思想は、特許請求の範囲に記載された請求項が規定する技術的範囲内において、種々の変更を加えることができる。
【０００９】
本発明の実施の形態の説明において、左右に同様の機能を有する部分がある場合には、左にあるものには「Ｌ」との接尾語を付し、右にあるものには「Ｒ」との接尾語を付し、両者をまとめて呼ぶ場合、又は単独で呼ぶ場合は、接尾語を付さない場合がある。例えば、左第１支持アームを６５０Ｌとし、右第１支持アームを６５０Ｒとしても、両者の区別をしない場合には、第１支持アームを６５０と呼ぶ場合がある。また、説明の便宜上、「左」、「右」、「前」又は「後」という語句を用いて説明するが、「左」、「右」はそれぞれ本発明の除雪機の作業状態における進行方向に対する向きを示し、「前」又は「後」は作業状態における除雪機のオーガー側の方向を示し、「後」は除雪機の操作部側の方向を示す。また、「上」又は「下」という語句を用いて説明するが、「上」又は「右」は、それぞれ本発明の除雪機の作業状態における向きを示している。
【００１０】
（除雪機の構成）
除雪機１は、機体２の左右に走行用として走行クローラベルト４を設け、これを駆動して前後に走行する。機体２の前方部に除雪部５を設け、機体２の後方に機体２を操作する操作部３を設け、機体２の中央部に走行部や除雪部５の動力源であるエンジンを収納したエンジン部２１を設けている。
【００１１】
操作部３には、作業者が握って操作するハンドル３０が左右に設けられ、その中央部に機体２の各部を作動させるための各操作レバーやスイッチ類が設けられていて、作業者はこれらを操作して除雪作業を行う。
【００１２】
機体２の前方部に設けた除雪部５は、オーガー５１と、ブロワー５１５と、シューター５２と、デフレクター５２０と、オーガーハウジング５０とを備えている。オーガー５１は、進行方向と直交する水平回転軸に設けていて、回転駆動することによって、前方の雪をオーガー５１の中央部に掻き集める。掻き集めた雪は、オーガー５１の中央部の後方に設け、進行方向を軸にして回転駆動するブロワー５１５で上方に向けたシューター５２より投雪される。投雪する方向はシューター５２を水平旋回させて方向を変更できる。また、投雪角度はシューター５２上端部のデフレクター５２０の上下方向への旋回で角度を変更することで可能となっている。オーガー５１は前方部が開口したオーガーハウジング５０により覆われていて、オーガー５１の雪の掻き込みを誘導するとともに、巻き込まれ防止等の安全のため設けられている。
【００１３】
図３に示す除雪部５の前方には、除雪機１を前進させることにより雪を押し出す排雪板６が配置されている。排雪板６は、図１に示すように除雪部５前方に位置した排雪板作業状態と、オーガーハウジング５０の上方部に位置する排雪板非作業状態とに切換えが可能である。排雪板６の切換えは、排雪板６の左右端部のそれぞれ後方に設けられ、オーガーハウジング５０の左右端部のオーガーハウジング側板５００外側部に上下旋回自在に取付けられた回動アーム６０により可能な構造となっている。図１に示す排雪板６をオーガーハウジング５０の上方部に位置させた排雪板６の非作業状態では、除雪部５を駆動し雪を投雪する除雪作業が可能である。
【００１４】
除雪部５のオーガー５１及びブロワー５１５を駆動して投雪する除雪作業は、投雪場所等が十分に確保できる場所では効率的である。しかし、投雪場所等が十分確保できない場合や積雪量が少ない場合には、排雪板６により雪を押し出す除雪作業に切換えると効率良く除雪作業が行える。排雪板６による除雪作業のときは、除雪部５の駆動を停止し、排雪板６を除雪部５の前方に位置するように旋回させてから行う。排雪板６での作業は、雪を前方に押し出す作業と、排雪板６を前後方向に傾斜させて除雪機１の前進と共に雪を除雪機１の側方に押し流す作業とがある。
【００１５】
（排雪板全体）
排雪板６は、除雪部５の側方に取り付けられ、除雪部５に対し上下方向に旋回自在にするための回動アーム６０と、回動アーム６０の先端部に取り付けられ排雪板６の前後傾斜の基部となる支持フレーム６４と、支持フレーム６４に一端を取り付けて排雪板６を前後方向に傾斜可能にするための支持アーム部６５と、支持アーム部６５の他端に取り付けられ雪を押すためのブレード部６９と、を備えている。
【００１６】
（回動アーム）
回動アーム６０は、オーガーハウジング５０の左右の側方端部に固着されたオーガーハウジング側板５００の外側部に位置している。回動アーム６０は、オーガーハウジング側板５００の外側の面に取り付けられた支点受部６１を介して、上下方向に旋回自在に取付けられる。
【００１７】
図３及び図５に示す回動アーム６０は、板金製で側面視上方に角部を有する不等辺三角形状となっている。回動アーム６０の前方から上方に伸びた上辺と後方側の辺の一部は内方にＬ字状に折り曲げられて剛性を持たせている。回動アーム６０の内方にＬ字状に折り曲げられた上辺側は上部折り曲げ部６０２を形成し、後方側は後部折り曲げ部６０３を形成している。
回動アーム６０の後方側には、回動アーム６０が上下旋回する支点軸である旋回支点軸６０１が設けられている。図８に示す回動アーム６０の旋回支点軸６０１はピン状部材で、回動アーム６０の内側に向けて回動アーム６０の面と垂直に固着されている。
【００１８】
旋回支点軸６０１を支持するために、支点受部６１がオーガーハウジング側板５００の外側の側面に設けられている。支点受部６１は、円形状の板状部材に筒状のボス部６１１を外側に向けて板状部材と垂直に固着されている。ボス部６１１に旋回支点軸６０１が挿入されることで、回動アーム６０は上下方向への旋回が可能になる。
【００１９】
旋回支点軸６０１及びボス部６１１の周囲には、弾性体６３が取り付けられる。弾性体６３は、回動アーム６０の上方側への旋回を上方側に補助するために設けられる。図３、図５及び図８に示す弾性体６３は、ねじりコイルバネである。弾性体６３の腕部の一端の先端部は折り曲げられて後部折り曲げ部６０３の内側の面で係止され、他端の先端部は支点受部６１中央部付近に垂直に設けられた矩形状の板の係止部６１２に係止されている。弾性体６３により排雪板６は上方側へ旋回する向きに付勢され、排雪板６を非作業状態にするために作業者が操作する操作力が軽減される。
【００２０】
（支持フレーム）
オーガーハウジング側板５００の左右それぞれ外側に設けられた回動アーム６０の前方部を架け渡すように、左右方向に長い矩形状の板の支持フレーム６４が板面の法線を前後方向に向けて固着されている。支持フレーム６４の矩形状板の四辺端部には、板面と垂直の前方に向かって剛性確保のための矩形状の板で、長辺側に配置される長辺リブ６４ａ、短辺側に配置される短辺リブ６４ｂが固着されている。さらに、対向する長辺リブ６４ａの左右端部それぞれに設けられた支持孔６４ｃと、それぞれの支持孔６４ｃより内側に位置する格納孔６４ｄとが設けられている。対向する長辺リブ６４ａに配置された支持孔６４ｃ及び格納孔６４ｄは、同軸上に位置するように設定されている。
【００２１】
（支持アーム部）
対向する長辺リブ６４ａの間で支持孔６４ｃには、ブレード部６９を支えるための支持アーム部６５が取り付けられる。図１及び図６おいて、支持アーム部６５は、一端を支持孔６４ｃに支持された第１支持アーム６５０と、第１支持アーム６５０の他端にさらに連結された第２支持アーム６８０と、を備えている。
【００２２】
（第１支持アーム）
第１支持アーム６５０の一端は、支持フレーム６４の上下に２枚設けられた長辺リブ６４ａの間で、支持孔６４ｃに取り付けられる。第１支持アーム６５０は、支持フレーム６４の進行方向左側の支持孔６４ｃに取り付けられた左第１支持アーム６５０Ｌと、支持フレーム６４の進行方向右側の支持孔６４ｃに取り付けられた右第１支持アーム６５０Ｒとがある。
【００２３】
第１支持アーム６５０は、上下に２枚配置させた平行四辺形状の板６５１で、板６５１の法面を上下方向に向けて、それぞれを平行に設けられている。上下に２枚配置された平行四辺形状の板６５１のそれぞれ一対の対角の角部に配置され、２枚の板６５１を繋ぐように軸を板面と垂直にした筒状の軸受部６５２が固着されている。軸受部６５２は板６５１を貫通して固着されている。さらに、２枚の板６５１と２本の軸受部６５２で生じた空間を塞ぐように補強板６５３が、板面を板６５１の面と垂直に固着されていて、第１支持アーム６５０の剛性を確保している。
【００２４】
軸受部６５２の内径には、長辺リブ６４ａの支持孔６４ｃに同軸に位置されて、抜け止めの頭部を有した支持ピン６６が挿入される。支持ピン６６の挿入によって、第１支持アーム６５０の一端側は支持されて、第１支持アーム６５０の他端側は左右方向に旋回自在に設けられる。さらに、第１支持アーム６５０を構成する板６５１の他端側の軸受部６５２の近傍には、第１固定孔６５４が設けられている。第１固定孔６５４は、後述する第２支持アーム６８０の旋回を固定するときに使用する。
【００２５】
（第２支持アーム）
第１支持アーム６５０の他端側には、第２支持アーム６８０が取り付けられている。第２支持アーム６８０は、左第１支持アーム６５０Ｌに取り付けられた左第２支持アーム６８０Ｌと、右第１支持アーム６５０Ｒに取り付けられた第２支持アーム６８０Ｒとがある。
【００２６】
第２支持アーム６８０は、長辺と短辺を持った矩形の短辺側の角部を丸められた長丸状の板６８１が、板面を上下方向に向けて配置されている。板６８１は２枚配置され、それぞれ互いに平行で、第１支持アーム６５０を上下に挟むように配置されている。２枚の板６８１は、板６８１の長手方向の両端部より内側で中央部から第１支持アーム６５０寄りに、第１支持アーム６５０に取り付けるための第１アーム取付孔６８２が開けられている。さらに、第１支持アーム６５０側である一端側の端部には第２固定孔６８３と、他端側の端部には後述するブレード部６９を取り付けるためのブレード取付孔６８４が開けられている。上下に配置された板６８１に設けられた第１アーム取付孔６８２と、ブレード取付孔６８４及び第２固定孔６８３は、それぞれが同軸上に位置している。
【００２７】
２枚の板６８１の間で、ブレード取付孔６８４と第１アーム取付孔６８２の間には、補強板６８５が、板６８１の面と垂直に配置されている。さらに、補強板６８５の中央部から後端側は、図５に示す上下方向を軸にして内側に折り曲げられている。図６において、補強板６８５の折り曲げ角度は５乃至２０度である。
【００２８】
第１アーム取付孔６５１には、第１支持アーム６５０の他端側の軸受部６５２に同軸上に位置されて、支持ピン６６が挿入される。第２支持アーム６８０は、第１アーム取付孔６５１及び支持ピン６６を支点軸にして左右方向に旋回自在に構成される。
【００２９】
（第２支持アームの展開時の固定）
第２固定孔６８３は、第１支持アーム６５０に対する第２支持アーム６８０の旋回を固定するときに使用する。第２支持アーム６８０を第１支持アーム６５０に対して旋回させて、第２固定孔６８３と第１固定孔６５４が同軸上に位置させる。同軸上に位置した第２固定孔６８３と第１固定孔６５４にＬ字状に曲げられた棒状の規制体６７を差し込むことで、第２固定孔６８３は、第１支持アーム６５０に対する第２支持アーム６８０の旋回が規制される。このとき、第１支持アーム６５０と第２支持アームは、支持孔６４ｃに固定された第１支持アーム６５０の軸受部６５２から、ブレード取付孔６８４が離れた展開状態である。
【００３０】
（第２支持アームの格納時の固定）
さらに、規制体６７を外し、第１支持アーム６５０を除雪機１の内側方向に旋回させ、第２支持アーム６８０を外側に旋回させると、第１固定孔６５４は、支持フレーム６４に設けられた格納孔６４ｄと同軸上に位置させることが可能である。第１固定孔６５４と同軸上に位置した格納孔６４ｄに規制体６７を差し込むことで、第１支持アーム６５０は旋回が固定され格納状態となる。格納状態での第１支持アーム６５０及び第２支持アーム６８０は、支持フレーム６４の上下端部に設けられた長辺リブ６４ａの間に位置し、前方への張り出しが少なく設定されている。また、格納状態での、支持フレーム６４に設けられた支持孔６４ｃと第２支持アーム６８０のブレード取付孔６８４は、互いに近接した状態となる。 
【００３１】
（ブレード部）
さて、第２支持アーム６８０のブレード取付孔６８４には、ブレード部６９が取り付けられる。ブレード部６９は、ブレード６９１と、リブ６９２と、取付ベース６９３と、ブレード取付部６９４と、取手部６９５と、を有している。
【００３２】
ブレード６９１は、図３における排雪板６の作業状態において、雪を押すために左右方向に長い板を前方に凹部を向けて湾曲させた、側方断面弓形の円弧状になっている。ブレード６９１の幅は、オーガーハウジング５０の外端の幅と同等、又は、これより幅が広く設けられる。ブレード６９１の端部で円弧状部の外側の面に沿うように、ブレード６９１の剛性を保つためのリブ６９２が取り付けられている。
【００３３】
さらに、ブレード６９１の円弧状外側の面で、左右両側のリブ６９２の内側の端部には、矩形状の板を直角に折り曲げた取付ベース６９２が、曲げの稜線をブレード６９１の左右方向と平行に取り付けられている。図３において、折り曲げられた取付ベース６９２の１つの面は、除雪機１の後方に向けられている。ブレード６９１の左右それぞれに設けられた取付ベース６９２の後方に向けられた面には、第２支持アーム６８０を取り付けるための三角状の板で構成されたブレード取付部６９４が取付ベース６９２の面と垂直に固着されている。取付ベース６９２に設けたブレード取付部６９４は、上下方向にそれぞれの面を平行にして２枚ずつ設けていている。上下２枚のブレード取付部６９４は、第２支持アーム６８０の上下に設けた板６８１の間に位置するように設定されている。
【００３４】
ブレード取付部６９４は、中央部に取付孔６９５を設け、第２支持アーム６８０のブレード取付孔６８４と同軸上に位置させて支持ピン６６を上方から差し込むことで、ブレード部６９は第２支持アーム６８０に対して支持ピン６６を軸にして旋回自在に設けられている。すなわち、第２支持アーム６８０とブレード部６９は連結された状態となる。さらに、回動アーム６０、支持フレーム６４、第１支持アーム６５０及び第２支持アーム６８０は連結された状態となる。
【００３５】
（ブレードの傾斜動作）
支持フレーム６４、左第１支持アーム６５０Ｌ、右第１支持アーム６５０Ｒ、左第２支持アーム６８０Ｌ、右第２支持アーム６８０Ｒ及びブレード部６９は、以上のように取り付けることで連結されることで、図４に示すブレード部６９を除雪機１の前方へ凹部を向けた格納状態と、図６に示すブレード部６９を除雪機１の前後方向へ傾斜させて凹部を斜め前方方向に向けた傾斜状態との切換えが可能となる。ブレード部６９の格納状態と傾斜状態との切換えは、排雪板６を作業状態にさせてから行う。
【００３６】
（ブレード部の格納）
ブレード部６９の格納状態への切換えは、左第１支持アーム６５０Ｌと右第１支持アーム６５０Ｒを、支持フレーム６４に沿うように内側に旋回させる。左第２支持アーム６８０Ｌと右第２支持アーム６８０Ｒは、左第１支持アーム６５０Ｌ及び右第１支持アーム６５０Ｒに対して、前方方向に位置するように折り曲げられる。同時に、第２支持アーム６８０に連結されたブレード部６９は、第２支持アーム６８０に連動するようにして支持フレーム６４側に引き込まれて、図４に示す格納状態となる。格納状態の第１支持アーム６５０の板６５１の前方側の端面は、第２支持アームの補強板６８５の後方側の面に当接した状態となり、ブレード部６９の取付孔６９５は支持フレーム６４の支持孔６４ｃに近接した状態である。
【００３７】
格納状態の左第２支持アーム６８０Ｌ及び右第２支持アーム６８０Ｒの第２固定孔６８３は、格納孔６４ｄと同軸上に位置させ、規制体６７を挿入して左第２支持アーム６８０Ｌ及び右第２支持アーム６８０Ｒを固定する。第２支持アーム６８０の固定に伴い、第１支持アーム６５０及びブレード部６９も連動して固定される。格納状態時の第１支持アーム６５０は、支持フレーム６４の上下に配置された長辺リブ６４ａの間に格納された状態になり、ブレード部６９が前方へ張り出すことを抑制している。格納状態となり前方に凹部を向けたブレード部６９は、除雪機１の前方への走行と共に前方へ雪を押し出すことができる。
【００３８】
（ブレード部の傾斜）
ブレード部６９の傾斜状態への切換えは、ブレード部６９の左側を前方に傾斜させた左傾斜状態と、ブレード部６９の右側を前方に傾斜させた右傾斜状態とがある。ブレードの格納状態から左傾斜状態への切換えは、ブレード格納状態の左第２支持アーム６８０Ｌの第２固定孔６８３側の格納孔６４ｄから規制体６７を外して、左第２支持アーム６８０Ｌの固定を解除する。ブレード部６９は右第２支持アーム６８０Ｒのブレード取付孔６８４に挿入された支持ピン６６を支点軸にして、前方方向へ旋回させることができる。ブレード部６９の旋回によって、図６に示すようにブレード部６９は左傾斜状態となると共に、左第１支持アーム６５０Ｌと左第２支持アーム６８０Ｌは互いに展開された状態になり、第１固定孔６５４と第２固定孔６８３は同軸上に位置する。格納孔６４ｄから外した規制体６７を同軸上に位置した第１固定孔６５４と第２固定孔６８３に挿入することで、ブレード部６９の左傾斜状態を固定することができる。
【００３９】
左傾斜状態になったブレード部６９は、前方斜め右側方にブレード６９１の凹部を向ける。ブレード部６９の左傾斜状態のとき、除雪機１の前方への走行と共に前方からの雪をブレード９６１の上方へ掻き込むと共に、ブレード９６１の凹部に沿って右方へ雪を滑らせながら除雪機１の右方に押し流すことができる。
【００４０】
ブレード部６９の左側を前方に傾斜させた左傾斜状態を説明したが、右傾斜状態は左傾斜状態の操作を左右変えて操作するので、その切換え方法の詳細な説明は省略する。
【００４１】
（排雪板の非作業状態）
排雪板６を非作業状態にする場合は、ブレード部の格納状態に切換えてから行う。ブレード６９１の上部には、排雪板６を作業状態と非作業状態との切換え時に、作業者が掴み操作をする取手部６９６が取り付けられる。取手部６９６は、コの字状に折り曲げられた棒状部材で、端部を排雪板作業状態のブレード６９１の上部に固着されている。作業者は取手部６９６を把持し、旋回支点軸６０１を軸にして排雪板６を上下旋回させて、作業状態と非作業状態に切換えができる。作業者による作業状態と非作業状態と切換えは、弾性体６３によって排雪板６の重量を支えるように上方に付勢しているため、容易である。また、排雪板６の非作業状態でのブレード部６９は格納状態であり、ブレード部６９の上方への張り出し量が低く抑えられている。オーガー５１及びブロワー５１５での投雪、特に前方及び下方へ向けて投雪した場合に、オーガー５１の上方に位置するブレード部６９に投雪した雪が当たらず、効率的な除雪が可能になっている。
【００４２】
以上のように構成した除雪機１は、排雪板６の作業状態での除雪機１の進行方向に対して、前後方向へ傾斜させて、除雪機側方への排雪を可能にすると共に、排雪板の非作業状態での排雪板の高さを低く抑えてブロワーで投雪した雪が排雪板に当たることを防ぎ、効率良い除雪作業が行える。
【００４３】
以上、本発明を上記一実施形態に基づき説明したが、本発明は上記一実施形態に限定されるものではなく、その要旨を逸脱しない範囲において種々変更可能であることは勿論である。
【産業上の利用可能性】
【００４４】
本発明は、クローラベルトやタイヤ等による走行部を有し、機体の前部に雪の掻き込みオーガーや掻き込んだ雪をブロワーによって投雪する除雪部を設け、除雪部のさらに前方に排雪板を配置可能にした除雪機に適用できる。
【符号の説明】
【００４５】
１      除雪機
２      機体
２１    エンジン部
３      操作部
３０    ハンドル
４      走行クローラベルト
５      除雪部
５０    オーガーハウジング
５００  オーガーハウジング側板
５１    オーガー
５１５  ブロワー
５２    シューター
５２０  デフレクター
６      排雪板
６０    回動アーム
６３    弾性体
６４    支持フレーム
６５    支持アーム部
６５０  第１支持アーム
６６    支持ピン
６７    規制体
６８０  第２支持アーム
６９    ブレード部
６９１  ブレード
６９６  取手部
【図１】
2019108774.tif 000003
【図２】
2019108774.tif 000004
【図３】
2019108774.tif 000005
【図４】
2019108774.tif 000006
【図５】
2019108774.tif 000007
【図６】
2019108774.tif 000008
【図７】
2019108774.tif 000009
【図８】
2019108774.tif 000010